【手続補正書】
【提出日】平成16年7月29日(2004.7.29)
【手続補正１】
【補正対象書類名】特許請求の範囲
【補正対象項目名】全文
【補正方法】変更
【補正の内容】
【特許請求の範囲】
【請求項１】
注射液を密封容器に収容した封止状態と注射液が放出された空の状態とを有するアンプ
ルが複数個あり、人間がアンプルに触れる必要なく、該複数個のアンプルから１個のアン
プルが順に装填され、装填されたアンプルから液体を注射する皮下注射用注射器であって
、
アンプルを把持して注射液放出の力を受け止めるための把持状態と、開放状態とを有す
る把持機構、
放出力を加えて封止状態にあるアンプルから注射液を排出させアンプルを空の状態にす
べく、待機状態から放出状態へと移動可能なプランジャ装置、
付勢力を貯留するための蓄勢状態と解放状態とを有し、蓄勢状態から解放状態への移行
に呼応して、前記プランジャ装置に待機状態から放出状態へと移動するための力を放出す
る第１の付勢装置、
前記第１の付勢装置を、解放状態から蓄勢状態へと移行させるための第１の蓄勢機構、
前記プランジャ装置を待機状態から動かすべく、前記付勢機構を蓄勢状態から解放状態へ
と解放するために動作する解放機構、
待機状態から、アンプルに当接し注射器から排出するための排出状態へと移動可能な排
出部材と、該排出部材をアンプルを排出すべく駆動するため蓄勢状態から解放状態へと解
放される第２の付勢装置とを備える、空のアンプルを開放状態の前記把持機構から排出す
るための排出機構、および、
前記第２の付勢装置を解放状態から蓄勢状態へと移行させるための第２の蓄勢機構
からなる皮下注射用注射器。
【請求項２】
前記第２の蓄勢機構が、アンプルの注射器への装填に呼応して、前記第２の付勢装置を
蓄勢状態へと移行させる請求項１記載の皮下注射用注射器。
【請求項３】
前記排出機構が、前記第２の付勢装置を蓄勢状態から解放するため、手動で動かすこと
ができる手動解放部材を備える請求項１記載の皮下注射用注射器。
【請求項４】
さらに、前記第１の蓄勢機構へと動作可能に接続される駆動軸を有するモータを備え、
該駆動軸が、前記付勢装置を解放状態から蓄勢状態へと移行させるため、前記第１の蓄勢
機構に解放位置から蓄勢位置をとらせるべく一方向に回転可能であり、かつ、前記第１の
蓄勢機構に蓄勢状態をとらせるための次の動作のため、駆動軸を元に戻すべく自動で逆方
向に回転可能である請求項１記載の皮下注射用注射器。
【請求項５】
前記把持機構が、アンプルを保持していないとき開放状態をとり、アンプルが把持機構
内に無く把持機構が開放状態であるときに前記プランジャ装置を待機状態から動けなくす
るための防止装置を備えている請求項１記載の皮下注射用注射器。
【請求項６】
さらに、前記第１の蓄勢機構へと動作可能に接続される駆動軸を有するモータを備え、
該駆動軸が、前記付勢装置を解放状態から蓄勢状態へと移行させるため、前記第１の蓄勢
機構に解放位置から蓄勢位置をとらせるべく回転可能である請求項１記載の皮下注射用注
射器。
【請求項７】
前記把持機構、プランジャ装置、付勢装置、第１の蓄勢機構、解放機構、排出機構およ
び第２の蓄勢機構を収容するための筺体を有する手持ち用具をさらに備え、前記モータが
該手持ち用具から離れており、さらに、モータを第１の蓄勢機構に動作可能に接続するた
めの接続機構を備えている請求項６記載の皮下注射用注射器。
【請求項８】
前記把持機構、プランジャ装置、付勢装置、第１の蓄勢機構、解放機構、排出機構、第
２の蓄勢機構およびモータを収容するための筺体を有する手持ち用具をさらに備える請求
項６記載の皮下注射用注射器。
【請求項９】
前記把持機構が、
把持機構に挿入されたアンプルに解放可能に係合するための閉位置と、開位置とを有す
る把持爪、
前記把持爪を開位置へと付勢する待機位置と、解放位置とを有する爪展張ばね、
前記把持爪を閉位置に解放可能に保持するための保持位置と、前記把持爪の開位置への
動きを許容する解放位置とを有する爪押さえ筒、
待機位置から解放位置へと解放可能であり、待機位置にあるとき、前記爪押さえ筒を解
放位置から保持位置へと付勢する爪押さえ筒戻しばね、
アンプルを皮下注射用注射器から排出すべく、待機位置から解放位置へと解放されるア
ンプル排出用ばね、および、
前記爪押さえ筒を保持位置から解放位置へと駆動するため、および、前記アンプル排出
用ばねを待機位置から解放位置へと解放するためのアンプル解放機構
からなり、
アンプルが前記把持爪に装填されるのに呼応して、前記爪押さえ筒が解放位置から保持
位置へと移動可能であり、前記爪展張ばねが解放位置から待機位置へと移動可能であり、
前記爪押さえ筒戻しばねが解放位置から待機位置へと移動可能であり、アンプル排出用ば
ねが解放位置から待機位置へと移動可能である請求項１記載の皮下注射用注射器。
【請求項１０】
前記アンプルが、外壁および注射液を収容するための内部収容室、手前端ならびに遠方
端を備え、遠方端に注射液が通過するオリフィスを有し、前記収容室が遠方端から手前端
まで延び、ピストンが収容室から注射液をオリフィスを通って押し出すよう、手前端から
遠方端に向かって移動可能であり、
前記注射器がさらに、前記第１の蓄勢機構へと動作可能に接続される駆動軸を有するモ
ータを備え、該駆動軸が、前記第１の蓄勢機構に解放位置から蓄勢位置をとらせるべく一
方向に回転可能であり、前記モータ軸を、アンプルに動作可能に接続することができ、前
記オリフィスを通して注射液をアンプルに注入できるよう、アンプルの遠方端からアンプ
ルの手前端へとピストンを引き戻すべく逆方向に回転させることが可能である請求項１記
載の皮下注射用注射器。
【請求項１１】
さらに、アンプルの帯として一続きに保持された複数のアンプルから、１個のアンプル
を把持機構によって把持されるよう順次提供するマガジンを備え、
該マガジンが、
アンプル帯を保持するための保持領域、アンプルに前記把持機構がアクセスできるよう
にするための提供領域、およびアンプルの帯を保持領域から提供領域へと順次案内するた
めの壁を有する筺体、
アンプル帯のアンプルが前記把持機構によって抜き取られた部分を取り上げるための巻
き上げスプール、および、
アンプル帯のアンプルが前記把持機構によって抜き取られた部分を取り上げるため、前
記巻き上げスプールを駆動する駆動装置
からなる請求項１記載の皮下注射用注射器。
【請求項１２】
前記筺体が、前記提供領域への開口を規定するアクセス面を有するアクセス壁を備え、
把持機構が前記提供領域のアンプルを把持しマガジンから抜き取ることが可能である請求
項１１記載の皮下注射用注射器。
【請求項１３】
前記壁が、アンプル帯のためのカーブした略螺旋状の通路を規定し、アンプルが抜き取
られてアンプル帯が巻き上げスプールに引き取られるまで、該通路の最外側部分に沿った
アンプル帯が、前記把持機構によって把持されるよう先頭のアンプルを前記提供領域に位
置させる請求項１１記載の皮下注射用注射器。
【請求項１４】
前記マガジンが、基部およびカバー部からなり、該基部から前記壁が延び、前記巻き上
げスプールを収容するための収容室を規定しており、該カバー部が、前記提供領域への漏
斗状の開口を有し、該開口から前記提供領域のアンプル帯のアンプルが把持機構によって
把持されるべく突き出している請求項１３記載の皮下注射用注射器。
【請求項１５】
前記駆動装置が、一定力ばねである請求項１１記載の皮下注射用注射器。
【請求項１６】
前記壁が、筺体内にアンプル帯を巻き上げスプールに向かって案内する少なくとも１つ
の直線状通路を規定し、前記提供領域が、該直線状通路上かつ巻き上げスプールの近傍に
位置する請求項１１記載の皮下注射用注射器。
【請求項１７】
前記壁が、少なくとも２つの平行な直線状通路を規定し、該２つの平行な直線状通路が
、該２つの平行な直線状通路の近接する端部を接続する別の通路で接続されており、
アンプル帯が、一方の直線状通路に沿って一方向に、隣の直線状通路を通って反対方向
に移動でき、直線状通路が前記巻き上げスプールの近傍の提供領域で終わっている請求項
１６記載の皮下注射用注射器。
【請求項１８】
前記筺体が、基部および該基部のためのカバーからなり、
該基部から前記壁が延び、該基部がさらに、前記巻き上げスプールを保持するための巻
き上げスプール収容室を有しており、
該カバーが、前記把持機構がアンプルを把持すべくアクセスできるよう、アンプルの一
部分を前記提供領域内に収容するための漏斗状の開口を有している
請求項１７記載の皮下注射用注射器。
【請求項１９】
前記筺体が外壁を備え、該外壁が、把持機構が提供領域のアンプルを把持できるように
するため、提供領域への開口を有しており、さらに前記筺体が、把持機構をアンプルを把
持するため前記開口へと案内する案内壁を備えている請求項１１記載の皮下注射用注射器
。
【請求項２０】
前記第１の付勢装置が、前記プランジャ装置を注射液をジェット速度で排出するのに充
分なエネルギで駆動するのに足る付勢力を有する少なくとも１つのばねである請求項１記
載の皮下注射用注射器。
【請求項２１】
前記少なくとも１つのばねが、少なくとも６０ポンドのばね力を有する請求項２０記載
の皮下注射用注射器。
【請求項２２】
前記少なくとも１つのばねが、少なくとも８０ポンドのばね力を有する請求項２１記載
の皮下注射用注射器。
【請求項２３】
前記少なくとも１つのばねが、６０から１０５ポンドの間のばね力を有する請求項２１
記載の皮下注射用注射器。
【請求項２４】
皮下注射用ジェット注射器で用いるアンプルであって、本体部分およびピストンからな
り、
本体部分が、手前端、遠方端および手前端と遠方端の間を延びる軸部を有し、比較的大
きな開口を手前端に有し遠方端よりも手前で終わっている収容室と、収容室の終端と遠方
端との間を延びる比較的小さいオリフィスとを備えており、
ピストンが、ピストンとオリフィスとの間の注射液をオリフィスを通って押し出すべく
手前端からオリフィスに向かって動くために前記収容室内に位置しているアンプル。
【請求項２５】
前記本体部分が、長手軸について対称形であり、手前端の近傍に比較的太い部分を、遠
方端の近傍に比較的細い部分を有しており、太い部分をジェット注射器の把持機構で掴む
ことができる請求項２４記載のアンプル。
【請求項２６】
さらに、収容室内かつピストンと手前端の間に位置するスライド可能なスプール、およ
び該スプールに組み合わされ、該スプールを収容室内に手前端に向かう動きに逆らうよう
係止するばね装置を備え、
ピストンが、収容室内を、オリフィスを通る加圧注射液の流れに呼応して、オリフィス
近傍の位置から前記スプールへとスライドでき、
スプールが、スプールにプランジャが高速で衝突することによって、注射を行うべく注
射液をオリフィスを通って押し出すため、ピストンをオリフィスに向かって押す請求項２
４記載のアンプル。
【請求項２７】
皮下注射用注射器が、オリフィスを通って注射液を押し出すべくピストンを手前端から
遠方端に向かって押すラムを有しており、ピストンが、ラムからの充分な力に呼応して壊
れることができ、ピストンが、オリフィスを通って注射液を押し出すためのラムの初期の
動きに呼応して動くことができ、アンプルを動作不能にするためのラムのさらなる動きに
呼応して壊れることができる請求項２４記載のアンプル。
【請求項２８】
さらに、注射深さを制御し、注射の実行に必要な力を低減するため、注射対象の体の皮
膚を貫くための穿刺器をオリフィスの端部に備える請求項２４記載のアンプル。
【請求項２９】
さらに、注射後に注射に用いたアンプルを使用不能にするため、穿刺器を事実上覆う無
効化装置を備える請求項２８記載のアンプル。
【請求項３０】
前記無効化装置が、穿刺器のための潰れることができる覆いであり、穿刺器を「接近不
可能」にするため注射実行時に潰れる弱くされた壁を有している請求項２９記載のアンプ
ル。
【請求項３１】
前記穿刺器が、注射対象の人間または動物の注射対象部位の皮膚の厚さであり、該動物
には、犬、猫、豚、牛、馬、象、鶏、雄鳥、ガチョウ、甲殻類、山羊、ラクダまたは羊が
含まれる請求項２４記載のアンプル。
【請求項３２】
前記穿刺器の長さが、１．０から１２．７ｍｍである請求項３１記載のアンプル。
【請求項３３】
アンプル内に保持された注射液からの注射を行うべく、アンプルを皮下注射用注射器に
供給するためのアンプル帯であって、
複数のアンプルを、直線状の位置関係で互いに平行に配置するための長さを有する背板
、
長手軸について対称形であり、前記背板上に平行に配置されており、それぞれ手前端お
よび遠方端を有し、遠方端を通って延びるオリフィスを備えており、遠方端が同じ方向に
延びている複数のアンプル、および、
前記背板に沿って延び該背板に取り付けられており、前記複数のアンプルを、全てが同
じ方向を向いている該アンプルの手前端で前記背板上に解放可能に保持するための輪を複
数連続して有している波状ベルト
からなるアンプル帯。
【請求項３４】
皮下注射用注射器と一緒に用いるため遠方端と手前端とを有するアンプルを保持するた
めのマガジンであって、蝶番装置によって接続され、互いに折り合わせることができる少
なくとも２つの部分からなる組からなり、
各部分がそれぞれ、
堅固な背板、
隣の部分との接続のため、少なくとも一方の端部に位置する前記蝶番装置の１つ、およ
び、
前記背板に沿って延び該背板に取り付けられており、前記複数のアンプルを、手前端が
全て同じ方向を向いている状態で前記背板上に保持するための輪を複数連続して有してお
り、前記隣り合う部分の折り返しを可能にするため、隣り合う部分の交点において曲げる
ことができる波状ベルト
を備え、
皮下注射用注射器が、前記背板および波状ベルトから、アンプルを順番に引きちぎるこ
とができるマガジン。
【請求項３５】
前記アンプルが、手前端近傍の領域に遠方端近傍の領域に比べ大きな断面積を有し、前
記波状ベルトが、皮下注射用注射器がアクセスできるよう、アンプルを手前端近傍の領域
が波状ベルトから突き出した状態で保持する請求項３４記載のマガジン。
【請求項３６】
皮下注射用注射器のためのアンプルであって、
収容室を規定する内表面を有し、該収容室へと延び注射時の注射液の通路を規定するオ
リフィスを一端に有している本体部分、
前記本体部分の内表面の間を広がっている前記収容室内のピストン、
最初に凍結乾燥薬剤を保持するための前記収容室の前記ピストンの片側の部分、
前記凍結乾燥薬剤の希釈液を保持するための前記収容室の前記ピストンのもう一方の側
の部分、および、
アンプルから放出されるべき注射液を調製するため、前記ピストンの動きに呼応して希
釈液の流れおよび凍結乾燥薬剤との混合を可能にする構造
からなるアンプル。
【請求項３７】
前記構造が、ピストンがオリフィスから離れる方向に動いたときに開き、ピストンが注
射を実行すべくオリフィスに向かって動いたときに閉じるピストン上の逆止弁である請求
項３６記載のアンプル。
【請求項３８】
皮下注射用注射器のためのアンプルであって、
収容室を規定する内表面を有し、注射時に注射液を放出するため、収容室へと延びるオ
リフィスを一端に有している本体部分、および、
収容室内に位置し、本体部分の内表面の間を広がっており、オリフィスとの間に凍結乾
燥薬剤を収容するための空洞を規定しているピストン、
からなり、
前記オリフィスが、注射液を作るべく前記空洞内で凍結乾燥薬剤と混合させるために加
圧下の希釈液を受け入れることができ、
前記ピストンが、前記空洞のサイズを大きくすべく、空洞内への希釈液の進入に呼応し
てオリフィスから離れるように動くことができるアンプル。
【請求項３９】
皮下注射用注射器のためのアンプル組立体であって、
第１の収容室を規定する内表面を有し、該第１の収容室へと延び注射時の注射液の通路を
規定するオリフィスを一端に有している本体部分、
第１の収容室内に位置し、本体部分の内表面の間を広がっており、オリフィスとの間にア
ンプル空洞を規定しているアンプル・ピストン、および、
オリフィスの上側から前記本体部分に取り付けることができる付属物
からなり、
該付属物が、
第２の収容室を規定する内表面、
前記本体部分のオリフィスに接続するための放出口、
前記第２の収容室の一端を横切って広がる付属物ピストン、および、
前記第２の収容室を横切って広がっており、付属物ピストンとの間に第１の付属物空洞
を規定し、放出口との間に第２の付属物空洞を規定するため、付属物ピストンと放出口と
の間に位置する壊れやすい隔壁
からなり、
第２の付属物空洞およびアンプル空洞の少なくとも一方が、凍結乾燥薬剤を受け入れる
ことができ、第１の付属物空洞が、希釈液を受け入れることができ、前記壊れやすい空洞
の隔壁が、付属物ピストンに充分な力が加えられることによって、注射液を作るための凍
結乾燥薬剤と希釈液との混合を可能にし、アンプル・ピストンが、希釈液または注射液の
少なくとも一方がオリフィスを通って流れるのに呼応して、アンプル空洞のサイズを増加
させるべく動くことができ、さらに、
付属物はオリフィスの障害とならないようオリフィスから取り外すことができ、アンプ
ル・ピストンはオリフィスを通って注射液を噴射すべくオリフィスに向かって動くことが
できるアンプル組立体。
【請求項４０】
前記アンプル空洞が、凍結乾燥薬剤の容器であり、前記第１の付属物空洞が、初期状態
において希釈液の容器である請求項３９記載のアンプル組立体。
【請求項４１】
前記第１の付属物空洞が、初期状態において希釈液の容器であり、前記第２の付属物空
洞が、初期状態において凍結乾燥薬剤の容器である請求項３９記載のアンプル組立体。
【請求項４２】
皮下注射用注射器のためのアンプルであって、
収容室を規定する内表面を有し、注射時に注射液を放出するため、収容室へと延びるオ
リフィスを一端に有している本体部分、
収容室内に位置し、本体部分の内表面の間を広がっているピストン、および、
本体部分の内表面の間を広がっており、前記収容室を凍結乾燥薬剤を保持するための空
洞と希釈液を保持するための第２の空洞に区画すべくオリフィスとピストンの間に位置し
ている壊れやすい隔壁
からなり、
該隔壁が、前記オリフィスから放出するため凍結乾燥薬剤と希釈液の混合を生じさせる
べく凍結乾燥薬剤および希釈液の一方を注入するときのピストンのいずれか一方の空洞へ
の動きに呼応して破れるアンプル。
【請求項４３】
前記空洞が前記オリフィスと前記隔壁との間であり、前記第２の空洞が前記隔壁と前記
ピストンの間である請求項４２記載のアンプル。
【請求項４４】
少なくとも１つのアンプル組立体において凍結乾燥薬剤と希釈液との混合を行うための
マガジンであって、アンプル組立体が、一端に入口および出口オリフィスを備える第１の
収容室を規定する本体部分と、第１の収容室内を動くピストンとを有するアンプルを備え
ており、
マガジンが、
前記オリフィスに接続することができ、潰れることのできる第２の収容室を規定する潰
れることのできる壁を有しており、さらに第２の収容室を凍結乾燥薬剤を保持するための
空洞および希釈液を保持する第２に空洞に区画するため、第２の収容室を横切って広がる
隔壁を有している少なくとも１つの潰れることができる保管容器、および、
対応する隔壁を破り、対応するアンプル組立体において対応する凍結乾燥薬剤と希釈液
の混合を生じさせ、対応するアンプルを対応するオリフィスを通して混合した凍結乾燥薬
剤および希釈液で満たすために充分な力が加えられときに前記少なくとも１つの潰れるこ
とのできる容器の潰れやすい壁を潰すため、前記少なくとも１つの潰れやすい保管容器に
作用可能に接続される力伝達部材
からなるマガジン。
【請求項４５】
注射液を収容したアンプルを保持するための保持装置、アンプル端へのプランジャの衝
突によって注射液を放出するための装置、注射液の放出のための衝撃を与えるべく前記ア
ンプル端へと駆動されるプランジャ装置、据置状態への伸張の時に注射液放出のための衝
撃を与えるべくプランジャをアンプルへと駆動するのに充分な力を有している少なくとも
１つのばね、および、前記少なくとも１つのばねを準備ができた状態に保持しておくため
の保持装置を有し、さらに、前記注射ばねを待機状態にするため所定量動くことのできる
付勢部材を有する皮下注射用注射器を、注射後の状態から準備ができた状態へと、注射が
できるようにするため、注射器内の注射ばねを待機状態にする蓄勢設備であって、
注射後の皮下注射用ジェット注射器を、準備状態へと再蓄勢するための場所に保持する
ための再蓄勢ドック、および、
手動によって前記付勢部材を把持して動かすことができる把持部材を備え、前記付勢部
材を前記注射ばねを待機状態とするために前記所定量動かすための手動装置
からなる蓄勢設備。
【請求項４６】
前記付勢部材が、注射ばねを待機状態にすべく所定の距離引っ張られる引き棒であって
、前記手動装置が、前記引き棒を把持するための装置、および該把持装置を注射ばねを待
機状態とすべく所定の距離動かすためのレバーを備えている請求項４５記載の再蓄勢設備
。
【請求項４７】
さらに、準備完了状態へと再蓄勢された皮下注射用注射器を注射器として使用するため
に取り上げられるよう保持するための取り受け台を備えている請求項４５記載の再蓄勢設
備。
【請求項４８】
注射時の注射液放出に備えて注射液を収容したアンプルを保持するための閉位置、およ
びアンプルの保持を終了させるための開位置を有する把持装置、
アンプルから注射液を放出させるべく、保持されているアンプルへと押し込まれるプラ
ンジャ、
待機状態と解放状態とを有し、前記プランジャに作用可能に接続され、待機状態から解
放されたときに前記プランジャをアンプルへと押し込む注射ばね、
前記ばねを解放状態から待機状態へと動かすため、休止位置から付勢位置へと動くこと
ができるばね付勢部材、
前記ばね付勢部材を休止位置から付勢位置へと動かすため、該ばね付勢部材へと外部エ
ネルギ源を接続するための接続具、
注射を実行すべく前記注射ばねを待機状態から解放状態へと解放するため、前記注射ば
ねに作用可能に接続された引き金、
注射器からアンプルを排出するためのアンプル排出装置、
前記アンプル排出装置に動作可能に接続され、待機状態と解放状態とを有しており、前
記把持装置が開状態であるときに待機状態から解放状態へと解放されることにより、アン
プルが把持装置から排出されるようにしており、アンプルの先端が把持装置内に入ること
により解放状態から待機状態へと変化するアンプル排出ばね、および、
前記アンプル排出装置に注射器からのアンプルの排出を行わせるため、前記把持装置を
開状態にし、前記アンプル排出ばねを待機状態から解放するためのアンプル解放機構
からなる皮下注射用注射器、ならびに、
前記付勢部材を休止位置から付勢位置へと再付勢するため、前記接続具に選択可能に接
続されるモータおよびバッテリ・モジュール
からなる、現場にて注射を行うための皮下注射システム。
【請求項４９】
前記注射ばねが、前記待機状態において、注射液をジェット速度でアンプルから排出す
るのに充分な力でプランジャを駆動するのに足るばね力を有している請求項４８記載の皮
下注射システム。
【請求項５０】
前記注射ばねのばね力が、少なくとも６０ポンドである請求項４８記載の皮下注射シス
テム。
【請求項５１】
前記注射ばねのばね力が、少なくとも８０ポンドである請求項５０記載の皮下注射シス
テム。
【請求項５２】
前記注射ばねのばね力が、８０から１０５ポンドの間である請求項５１記載の皮下注射
システム。
【請求項５３】
さらに、前記付勢部材を休止位置から付勢位置へと再付勢するため、前記接続具に選択
可能に接続されるモータ・モジュール、および該モータを動作させるため、該モータへと
選択可能に接続されるバッテリを備える請求項４８記載の皮下注射システム。
【請求項５４】
さらに、前記付勢部材を休止位置から付勢位置へと手動で再付勢するため、前記接続具
に選択可能に接続される手動再装填モジュールを備える請求項４８記載の皮下注射システ
ム。
【請求項５５】
アンプルを注射液で満たすための注入設備であって、アンプルが、一端が閉じられた内
部収容室と注射液の進入および排出のため該閉じられた端部を貫くオリフィスとを有する
本体部分を備えており、該アンプルを、該閉じられた端部に注入装置が接近できる状態で
マガジン内に配置でき、
注入設備が、
注射液を貯留しておくためのシリンジ、
シリンジ内に配置され、シリンジから注射液を排出する方向に動くことができるピスト
ン、
シリンジから注射液を排出させるべくピストンを動作させるために動くことができるシ
リンジ操作部材、および、
シリンジ操作部材の動作に呼応し、アンプルをシリンジからの注射液を受けるための位
置に保持するためマガジンを保持する保持装置
からなるアンプル注入設備。
【請求項５６】
前記シリンジ操作部材が、前記ピストンを駆動するために動くことができるレバーであ
る請求項５５記載のアンプル注入設備。
【請求項５７】
前記レバーが、手動で動かすことのできるレバーである請求項５６記載のアンプル注入
設備。
【請求項５８】
注射工程において複数のアンプルから順に注射液を放出させるための皮下ジェット注射
器であって、
注射に先立ってアンプルを把持するためのアンプル把持機構、
アンプルから注射液を放出するためアンプル内へと駆動されるプランジャ、
プランジャをアンプル内へと駆動するため、待機位置から解放される注射ばね、
モータ軸を有するモータおよびボールねじを備えており、該モータ軸が順方向および逆
方向に選択可能に回転できるボールねじ組立体、
該ボールねじ組立体および前記注射ばねに接続され、前記注射ばねを待機位置から解放
するための蓄勢位置と、解放位置とを有する動力伝達リンク、
該動力伝達リンクを蓄勢位置から解放位置へと解放するために動かすことができる発射
用引き金、
アンプル解放用引き金、および該アンプル解放用引き金の動作に呼応してアンプルを排
出するためのアンプル解放部材を備えるアンプル解放システム、
前記モータの動作を止めるため、前記モータに接続でき前記モータから切り離すことが
できるモータ接続機構、
前記モータの動作を止めるために解放でき、前記動力伝達リンクを解放位置から待機位
置へと再設定し前記注射ばねを待機位置にするためモータを順方向に回転させるために動
作できる第１のスイッチ、
前記アンプル排出用引き金の動作に呼応して作動する第２のスイッチ、および、
前記発射用引き金の動作に呼応して、前記モータの動作を止めるべく前記第１のスイッ
チを解放するため一方向に動くことができ、前記アンプル排出用引き金の動作に呼応して
、前記動力伝達リンクを再設定し、前記注射ばねを待機状態とし、前記モータを逆回転さ
せるべく、前記第１および第２のスイッチを動作させるため反対方向に動くことができる
スイッチ腕
からなり、
前記ボールねじが、前記モータの逆回転に呼応して、モータを止めるため前記モータ接
続機構をモータから切り離すために動く
皮下ジェット注射器。
【請求項５９】
注射工程において複数のアンプルから順に注射液を放出させるための皮下ジェット注射
器であって、
手持ち用具、
注射に先立ってアンプルを把持するためのアンプル把持機構、
アンプルから注射液を放出するためアンプル内へと駆動されるプランジャ、
プランジャをアンプル内へと駆動するため、待機位置から解放される注射ばね、
モータ軸を備えるモータおよびボールねじを備えており、該モータ軸が順方向および逆
方向に選択可能に回転できるボールねじ組立体、
該ボールねじ組立体および前記注射ばねに接続され、前記注射ばねを待機位置から解放
するための蓄勢位置と、解放位置とを有する動力伝達リンク、
該動力伝達リンクを蓄勢位置から解放位置へと解放するために動かすことができる発射
用引き金、
前記モータの動作を止めるために解放でき、前記動力伝達リンクを解放位置から蓄勢位
置へと再設定し前記注射ばねを待機位置にするためモータを順方向に回転させるために動
作できるスイッチ、および、
前記発射用引き金の動作に呼応して、前記モータの動作を止めるべく前記スイッチを解
放するため一方向に動くことができ、その後、前記ボールねじ組立体を再設定するため反
対方向に動くことができるスイッチ腕
からなる皮下ジェット注射器。
【請求項６０】
皮下注射用ジェット注射器で用いるアンプルであって、本体部分、ピストンおよびラムからなり、
本体部分が、手前端、遠方端および手前端と遠方端の間を延びる軸部を有し、長手軸について対称形であり、比較的大きな開口を手前端に有し遠方端よりも手前で終わっている収容室と、手前端の近傍に注射器の把持機構で掴むことができる比較的太い部分、および遠方端の近傍に比較的細い部分と、収容室の終端と遠方端との間を延びる比較的小さいオリフィスとを備えており、
ピストンが、ピストンとオリフィスとの間の注射液をオリフィスを通って押し出すべく手前端からオリフィスに向かって動くために前記収容室内に位置し、
皮下注射用注射器が、オリフィスを通って注射液を押し出すべくピストンを手前端からオリフィスに向かって押すラムを有しており、ピストンが、ラムからの充分な力に呼応して壊れることができ、オリフィスを通って注射液を押し出すためのラムの初期の動きに呼応して動くことができるアンプル。
【請求項６１】
皮下注射用ジェット注射器で用いるアンプルであって、本体部分およびピストンからなり、
本体部分が、手前端、遠方端および手前端と遠方端の間を延びる軸部を有し、長手軸について対称形であり、比較的大きな開口を手前端に有し遠方端よりも手前で終わっている収容室と、収容室の終端と遠方端との間を延びる比較的小さいオリフィスと、手前端の近傍に注射器の把持機構で掴むことができる比較的太い部分、および遠方端の近傍に比較的細い部分とを備え、注射深さを制御し、注射の実行に必要な力を低減するため、注射対象の体の皮膚を貫くための穿刺器をオリフィスの端部に備えており、
ピストンが、ピストンとオリフィスとの間の注射液をオリフィスを通って押し出すべく手前端からオリフィスに向かって動くために前記収容室内に位置しているアンプル。
【請求項６２】
皮下注射用ジェット注射器で用いるアンプルであって、本体部分およびピストンからなり、
本体部分が、手前端、遠方端および手前端と遠方端の間を延びる軸部を有し、長手軸について対称形であり、比較的大きな開口を手前端に有し遠方端よりも手前で終わっている収容室と、収容室の終端と遠方端との間を延びる比較的小さいオリフィスとを備えており、注射深さを制御し、注射の実行に必要な力を低減するため、注射対象の体の皮膚を貫くための穿刺器をオリフィスの端部に備え、さらに、注射後に注射に用いたアンプルを使用不能にするため、前記穿刺器を事実上覆う無効化装置を備え、
ピストンが、ピストンとオリフィスとの間の注射液をオリフィスを通って押し出すべく手前端からオリフィスに向かって動くために前記収容室内に位置しているアンプル。
【請求項６３】
皮下注射用注射器のためのアンプルであって、
本体部分が、手前端、遠方端および手前端と遠方端の間を延びる軸部を有し、収容室を規定する内表面と、比較的大きな開口を手前端に有し遠方端よりも手前で終わっている収容室へと延びて一端に注射時の注射液の通路を規定するオリフィスとを備え、さらに、本体部分が、手前端の近傍に注射器の把持機構で掴むことができる比較的太い部分、および遠方端の近傍に比較的細い部分とを備えており、
前記本体部分の内表面の間を広がっている前記収容室内のピストンと、
最初に凍結乾燥薬剤を保持するための前記収容室の前記ピストンの片側の部分と、
前記凍結乾燥薬剤の希釈液を保持するための前記収容室の前記ピストンのもう一方の側
の部分とからなり、
アンプルから放出されるべき注射液を調製するため、前記ピストンの動きに呼応して希釈液の流れおよび凍結乾燥薬剤との混合を可能にする構造となっているアンプル。
【請求項６４】
前記構造が、ピストンがオリフィスから離れる方向に動いたときに開き、ピストンが注射を実行すべくオリフィスに向かって動いたときに閉じるピストン上の逆止弁である請求項６３記載のアンプル。
【請求項６５】
人間が出口ノズル、注射液収容室または注射液に触れる必要なく、出口ノズルを有する注射液収容室から液体を順次注射する皮下注射用注射器であって、
注射液収納室に放出力を加えて、前記収納室から注射液を排出させ、待機状態から放出状態へと移動可能なプランジャ装置と、
このプランジャ装置を待機状態から放出状態へと移動するため、および、前記プランジャ装置を放出状態から待機状態へと移動するため、前記プランジャ装置へと動作可能に接続される駆動軸を有するモータとを備えた皮下注射用注射器。
【請求項６６】
注射液を注射するため、前記プランジャの待機状態から放出状態への移行に呼応して、前記収容室へと動作可能に接続される穿刺器を備え、前記モータが、放出力の小さい注射器による注射深さに比べて、肉体への注射の深さを増やすため、注射工程で駆動軸の回転を増加させ、前記プランジャによって放出力を加えて注射液の圧力を増加させる請求項６５記載の皮下注射用注射器。
【請求項６７】
保持装置によって保持された供給源を注入するため、前記供給源には、プランジャと、
前記供給源からプランジャの少なくとも一部分を引き下げ、リザーバから供給源に注射液を移行し、前記プランジャが放出状態に向かってゆっくり徐行して空気を供給源から押し出すためのデバイスとが設けられた請求項６６記載の皮下注射用注射器。
【請求項６８】
注射液を保持する筐体を有し、リザーバより注入可能な供給源から液体を注射する皮下注射用注射器であって、
注射液の供給源を保持し、供給源から注射液の放出力を受ける保持装置と、
この保持装置で保持した供給源に放出力を加えて供給源から注射液を放出させるため、待機状態から放出状態に移動可能であって供給源に動作可能に接続できるプランジャとを備え、前記プランジャは、次の注射に備えて注射液をリザーバから供給源に移動させるため、放出状態から待機状態へと移動可能であり、
前記プランジャへと動作可能に接続される駆動軸を有するモータをさらに備え、前記モータが、前記プランジャを待機状態から放出状態に移行させるために前記駆動軸を一方向に回転させ、また前記プランジャを放出状態から待機状態に移行させるために前記駆動軸を逆方向に回転させる皮下注射用注射器。